(57)【要約】      （修正有）【課題】ハンドヘルド型モバイル端末固定装置の位置決め装置の提供。【解決手段】ハンドヘルド型モバイル端末固定装置の位置決め装置であって、モバイル端末９を嵌持して位置決めするために用いる固定装置上に固定部材３が設置され、前記固定部材３上に固定装置の第１連結部３０に組み込むために用いる螺合固定ユニット６が設けられ、固定部材３により固定装置を外部物品上に固定し、かつ螺合固定ユニット６で固定部材３と外部物品を締め付け、モバイル端末９を保持でき、周辺にポールがある場所に迅速に取り付けたり取り外したりすることができ、前記モバイル端末９が使用者によってタッチされるとき、前記螺合固定ユニット６により外部物品上に強制的に位置決めされ、ぐらつきやずれが生じないようにモバイル端末９が保持される。【選択図】図１
0003180904.tif 000002
【実用新案登録請求の範囲】
【請求項１】
ハンドヘルド型モバイル端末固定装置の位置決め装置であって、
固定部材を備え、
前記固定部材が外部の固定装置上に設置され、
前記固定装置が外部のモバイル端末を嵌持して位置決めするために用いられる位置決めフレームを含み、
前記固定部材上に前記固定装置に組み込むために用いる第１連結部が設けられ、
かつ前記固定部材は保持、掛止、嵌入、包囲、吸着または挿入方式で迅速に前記固定装置と位置決めフレームを外部物品上に固定し、前記モバイル端末を保持することができると共に、迅速に外部物品上から取り外すこともでき、
前記外部物品は平面または棒体を含み、
前記固定部材上に前記固定部材と外部物品を締め付けるために用いる螺合固定ユニットが設けられ、
かつ前記固定部材が水平または垂直の平面または棒体を挟み込み、使用者が前記モバイル端末をタッチ制御できるようにし、
前記モバイル端末が使用者によってタッチされるとき、前記螺合固定ユニットにより外部物品上に強制的に位置決めされ、ぐらつきやずれが生じないようにモバイル端末が保持されることを特徴とする、
ハンドヘルド型モバイル端末固定装置の位置決め装置。
【請求項２】
前記位置決めフレームが、前記固定部材の第１連結部に結合可能な第２連結部を備えたことを特徴とする、請求項１に記載のハンドヘルド型モバイル端末固定装置の位置決め装置。
【請求項３】
前記固定装置がさらに延伸棒を含み、前記延伸棒が垂直または水平方向に剛性を備え、前記位置決めフレームが前記延伸棒の一端に設置され、かつ前記固定部材が前記延伸棒の他端に設置されたことを特徴とする、請求項１に記載のハンドヘルド型モバイル端末固定装置の位置決め装置。
【請求項４】
前記延伸棒が他端に前記固定部材の第１連結部に結合可能な第１接続部を備えたことを特徴とする、請求項３に記載のハンドヘルド型モバイル端末固定装置の位置決め装置。
【請求項５】
前記固定部材が接合部材と、該接合部材に対して取り付け及び取り外しができ、かつ外部物品上に位置決め可能な接合座体を備え、前記固定部材が前記接合部材を介して外部物品上の接合座体に組み込まれ、前記螺合固定ユニットが前記接合部材と前記接合座体間に螺合されるボルトを含み、前記第１連結部が前記接合部材の他端に設置されたことを特徴とする、請求項１に記載のハンドヘルド型モバイル端末固定装置の位置決め装置。
【請求項６】
前記固定部材が外部物品上に設けられ、前記螺合固定ユニットが前記第１連結部であり、かつ前記第１連結部がネジ孔であることを特徴とする、請求項１に記載のハンドヘルド型モバイル端末固定装置の位置決め装置。
【請求項７】
前記固定部材が少なくとも１つの可動性のはさみ部を備えたことを特徴とする、請求項１に記載のハンドヘルド型モバイル端末固定装置の位置決め装置。
【請求項８】
前記固定部材が２つの相互に対称な前記はさみ部を備え、前記螺合固定ユニットが、前記はさみ部間に螺合されるボルトを含み、前記ボルトで片側からはさみ部の間の開き具合を調整し、外部物品を挟持したり、解放したりすることができ、かつ前記ボルトの一端に該ボルトを回動させるために利用する調整ヘッドが設置されたことを特徴とする、請求項７に記載のハンドヘルド型モバイル端末固定装置の位置決め装置。
【請求項９】
前記螺合固定ユニットが前記はさみ部上にそれぞれ枢設された回転軸を含み、各回転軸上にネジ孔がそれぞれ設けられ、前記ボルトが前記はさみ部の回転軸のネジ孔間に螺着されたことを特徴とする、請求項８に記載のハンドヘルド型モバイル端末固定装置の位置決め装置。
【請求項１０】
前記固定部材が２つの相互に対称な前記はさみ部を備え、前記固定部材が前記はさみ部外囲まで延伸されたカバーを備え、前記螺合固定ユニットが前記各はさみ部と相隣するカバー間にそれぞれ螺着されるボルトを含み、前記２本のボルトを利用して両側から前記はさみ部間の開き具合を調整し、外部物品を挟持したり、解放したりすることができ、かつ前記ボルトが一端にボルトを回動させるために利用する調整ヘッドを備えたことを特徴とする、請求項７に記載のハンドヘルド型モバイル端末固定装置の位置決め装置。
【請求項１１】
前記螺合固定ユニットが前記はさみ部上にそれぞれ枢設された回転軸を含み、各回転軸上にネジ孔がそれぞれ設けられ、前記カバー上にそれぞれ前記回転軸に近接した２つのネジ孔が設けられ、前記各はさみ部の回転軸のネジ孔と、相隣する前記カバーのネジ孔間にそれぞれ前記ボルトが螺着されたことを特徴とする、請求項１０に記載のハンドヘルド型モバイル端末固定装置の位置決め装置。
【請求項１２】
前記固定部材が少なくとも２つの相互に対称なはさみ部を含み、前記螺合固定ユニットが、前記固定部材上に設置された前記はさみ部の間の開き具合を駆動して調整できる駆動装置を含むことを特徴とする、請求項７に記載のハンドヘルド型モバイル端末固定装置の位置決め装置。
【請求項１３】
前記はさみ部上が、前記はさみ部と外部物品間の緊密度と摩擦力を増加するために用いる緩衝パッドで被覆されたことを特徴とする、請求項７に記載のハンドヘルド型モバイル端末固定装置の位置決め装置。
【請求項１４】
前記はさみ部上にリリース装置が設置され、前記リリース装置が前記固定部材上に枢着されたベース部と、前記ベース部上の前記固定部材から離れた位置に枢着された爪部を含み、前記ベース部と爪部が相対する接合面上にそれぞれ位置決め孔が設けられ、前記位置決め孔間に位置決め棒が穿設され、前記ベース部と爪部を結合して固定したことを特徴とする、請求項７に記載のハンドヘルド型モバイル端末固定装置の位置決め装置。
【考案の詳細な説明】
【技術分野】
【０００１】
本考案はハンドヘルド型モバイル端末固定装置の位置決め装置に関し、特に、携帯可能で、携帯電話、ゲーム機、電子ブックリーダー、ＧＰＳナビゲーションシステム、タブレットコンピュータ等のモバイル端末を挟持して保持することができる、可動式固定装置の位置決め装置に関する。
【背景技術】
【０００２】
近年、携帯電話やタブレットコンピュータ等のハンドヘルド型モバイル端末が非常に普及しており、ほぼ誰もが１台保有している。これらモバイル端末のサイズは小型軽量化が進んでいるが、長時間手に持っていると普段運動不足の人々にとっては徐々に筋肉に負担が蓄積される。
【０００３】
小型のモバイル端末に使用するために別途固定器材が設計されているが、迅速に固定し、便利に取り外すことができ、かつ体積が小さく軽量で、携帯しやすいようにフレームを容易に収縮させることができる効果を備えたものはない。
【０００４】
市販のモバイル端末の固定装置はいずれも湾曲可能な軟質の管体にクリップを組み合わせて卓上に設置するようになっている。しかし、モバイル端末を卓上に懸吊することはできるものの、全体構造が非常に軟弱で、懸吊時間が長すぎて変形し、下垂して湾曲することがよくある。そのため、使用者がモニターをタッチして選択の操作をしたいとき、片手でモバイル端末の背面を支えなければならず、従来のモバイル端末の固定装置はタッチによる選択や可動操作に適していない。
【０００５】
また、従来の固定装置は平面の場合のみクリップで挟んで設置することに適しているが、屋外で例えば電車や地下鉄、バスなどには乗客が握持するための垂直の円形の柱しかなく、これらの場合クリップでは効果的に固定できないため、上述の問題に対する改善が必要である。
【考案の概要】
【考案が解決しようとする課題】
【０００６】
本考案の目的は、携帯が可能で、携帯電話、ゲーム機、電子ブックリーダー、ＧＰＳナビゲーションシステム、タブレットコンピュータ等のモバイル端末を挟持して保持できる可動式固定装置の位置決め装置であって、主に、モバイル端末を懸吊できるだけでなく、適切な全体的剛性を提供し、使用者が懸吊されたモバイル端末上をタッチして操作したり、ジェスチャを使用して手を滑らせたりしてもモバイル端末の固定位置に影響せず、また滑らかな直立した棒を挟んで容易に設置でき、使用者が公共交通機関を利用するとき、モバイル端末を交通機関上に懸吊できると同時に、全体的剛性を維持して、使用者が懸吊したモバイル端末上をタッチして操作したり、ジェスチャを使用して手を滑らせたりすることができ、これにより筋肉の疲労を低減し、肩や首が過度に使用されてコリや痛みを生じることを防止できる、ハンドヘルド型モバイル端末固定装置の位置決め装置を提供することにある。
【課題を解決するための手段】
【０００７】
上述の目的を達するため、本願の第１考案は、固定部材を備え、外部の固定装置上に設置され、固定装置が外部のモバイル端末を嵌持して位置決めするために用いられる位置決めフレームを含み、固定部材上に固定装置に組み込むために用いる第１連結部が設けられ、かつ固定部材が保持、掛止、嵌入、包囲、吸着または挿入方式で迅速に固定装置と位置決めフレームを外部物品上に固定し、モバイル端末を保持することができ、また迅速に外部物品上から取り外すこともでき、前記外部物品は平面または棒体を含み、前記固定部材上に前記固定部材と外部物品を締め付けるために用いる螺合固定ユニットが設けられ、固定部材が水平または垂直の平面または棒体を挟み込み、使用者が前記モバイル端末をタッチ制御できるようにし、前記モバイル端末が使用者によってタッチされるとき、前記螺合固定ユニットにより外部物品上に強制的に位置決めされ、ぐらつきやずれが生じないようにモバイル端末が保持されることを特徴とする、ハンドヘルド型モバイル端末固定装置の位置決め装置を提供する。
【０００８】
本願の第２考案は、前記位置決めフレームが、前記固定部材の第１連結部に結合可能な第２連結部を備えたことを特徴とする、前記第１考案のハンドヘルド型モバイル端末固定装置の位置決め装置を提供する。
【０００９】
本願の第３考案は、前記固定装置がさらに延伸棒を含み、前記延伸棒が垂直または水平方向に剛性を備え、前記位置決めフレームが前記延伸棒の一端に設置され、かつ前記固定部材が前記延伸棒の他端に設置されたことを特徴とする、前記第１考案のハンドヘルド型モバイル端末固定装置の位置決め装置を提供する。
【００１０】
本願の第４考案は、前記延伸棒が他端に前記固定部材の第１連結部に結合可能な第１接続部を備えたことを特徴とする、前記第３考案のハンドヘルド型モバイル端末固定装置の位置決め装置を提供する。
【００１１】
本願の第５考案は、前記固定部材が接合部材と、該接合部材に対して取り付け及び取り外しができ、かつ外部物品上に位置決め可能な接合座体を備え、前記固定部材が前記接合部材を介して外部物品上の接合座体に組み込まれ、前記螺合固定ユニットが前記接合部材と前記接合座体間に螺合されるボルトを含み、前記第１連結部が前記接合部材の他端に設置されたことを特徴とする、前記第１考案のハンドヘルド型モバイル端末固定装置の位置決め装置を提供する。
【００１２】
本願の第６考案は、前記固定部材が外部物品上に設けられ、前記螺合固定ユニットが前記第１連結部であり、かつ前記第１連結部がネジ孔であることを特徴とする、前記第１考案のハンドヘルド型モバイル端末固定装置の位置決め装置を提供する。
【００１３】
本願の第７考案は、前記固定部材が少なくとも１つの可動はさみ部を備えたことを特徴とする、前記第１考案のハンドヘルド型モバイル端末固定装置の位置決め装置を提供する。
【００１４】
本願の第８考案は、前記はさみ部が２つの相互に対称のはさみ部を含み、前記螺合固定ユニットが、前記はさみ部間に螺合されるボルトを含み、前記ボルトで片側からはさみ部の間の開き具合を調整し、外部物品を挟持したり、解放したりすることができ、かつ前記ボルトの一端に該ボルトを回動させるために利用する調整ヘッドが設置されたことを特徴とする、前記第７考案のハンドヘルド型モバイル端末固定装置の位置決め装置を提供する。
【００１５】
本願の第９考案は、前記螺合固定ユニットが前記はさみ部上にそれぞれ枢設された回転軸を含み、各回転軸上にネジ孔がそれぞれ設けられ、前記ボルトが前記はさみ部の回転軸のネジ孔間に螺着されたことを特徴とする、前記第８考案のハンドヘルド型モバイル端末固定装置の位置決め装置を提供する。
【００１６】
本願の第１０考案は、前記はさみ部が２つの相互に対称なはさみ部を含み、前記固定部材が前記はさみ部外囲まで延伸されたカバーを備え、前記螺合固定ユニットが前記各はさみ部と相隣するカバー間にそれぞれ螺着されるボルトを含み、前記２本のボルトを利用して両側から前記はさみ部間の開き具合を調整し、外部物品を挟持したり、解放したりすることができ、かつ前記ボルトが一端にボルトを回動させるために利用する調整ヘッドを備えたことを特徴とする、前記第７考案のハンドヘルド型モバイル端末固定装置の位置決め装置を提供する。
【００１７】
本願の第１１考案は、前記螺合固定ユニットが前記はさみ部上にそれぞれ枢設された回転軸を含み、各回転軸上にネジ孔がそれぞれ設けられ、前記カバー上にそれぞれ前記回転軸に近接した２つのネジ孔が設けられ、前記各はさみ部の回転軸のネジ孔と、相隣する前記カバーのネジ孔間にそれぞれ前記ボルトが螺着されたことを特徴とする、前記第１０考案のハンドヘルド型モバイル端末固定装置の位置決め装置を提供する。
【００１８】
本願の第１２考案は、前記固定部材が少なくとも２つの相互に対称なはさみ部を含み、前記螺合固定ユニットが、前記固定部材上に設置された前記はさみ部の間の開き具合を駆動して調整できる駆動装置を含むことを特徴とする、前記第７考案のハンドヘルド型モバイル端末固定装置の位置決め装置を提供する。
【００１９】
本願の第１３考案は、前記はさみ部上が、前記はさみ部と外部物品間の緊密度と摩擦力を増加するために用いる緩衝パッドで被覆されたことを特徴とする、前記第７考案のハンドヘルド型モバイル端末固定装置の位置決め装置を提供する。
【００２０】
本願の第１４考案は、前記はさみ部上にリリース装置が設置され、前記リリース装置が前記固定部材上に枢着されたベース部と、前記ベース部上の前記固定部材から離れた位置に枢着された爪部を含み、前記ベース部と爪部が相対する接合面上にそれぞれ位置決め孔が設けられ、前記位置決め孔間に位置決め棒が穿設され、前記ベース部と爪部を結合して固定したことを特徴とする、前記第７考案のハンドヘルド型モバイル端末固定装置の位置決め装置を提供する。
【考案の効果】
【００２１】
本考案に係るハンドヘルド型モバイル端末固定装置は、モバイル端末を懸吊できるだけでなく、適切な全体的剛性を提供し、使用者が懸吊されたモバイル端末上をタッチして操作したり、ジェスチャを使用して手を滑らせたりしてもモバイル端末の固定位置に影響しない。また滑らかな直立した棒を挟んで容易に設置でき、使用者が公共交通機関を利用するとき、モバイル端末を交通機関上に懸吊できると同時に、全体的剛性を維持して、使用者が懸吊したモバイル端末上をタッチして操作したり、ジェスチャを使用して手を滑らせたりすることができる。これにより筋肉の疲労を低減し、肩や首が過度に使用されてコリや痛みを生じることを防止できる、効果を有する。
【図面の簡単な説明】
【００２２】
【図１】本考案の実施例１の正面図である。
【図２】図１の上面図である。
【図３】図１の位置決めフレームの立体図である。
【図４】図１の追加実施形態の正面図である。
【図５】図１の別の追加実施形態の正面図である。
【図６】図５の上面図である。
【図７】図５の使用状態を示す部分拡大図である。
【図８】本考案のさらに別の追加実施形態の正面図である。
【図９】本考案の使用状態を示す図である。
【図１０】本考案の別の使用状態を示す図である。
【図１１】本考案の実施例２の正面図である。
【図１２】図１１の部分拡大断面図である。
【図１３】本考案の実施例３の正面図である。
【図１４】本考案の実施例４の正面図である。
【考案を実施するための形態】
【００２３】
以下、図面を参照して、本考案の実施例について説明する。
【実施例１】
【００２４】
図１から図１０に本考案の実施例１を示す。本考案のハンドヘルド型モバイル端末固定装置の位置決め装置は、固定部材３を備え、かつ固定部材３が外部の固定装置上に設置され、固定装置が位置決めフレーム２を含み、位置決めフレーム２に外部の携帯電話、ゲーム機、電子ブックリーダー、ＧＰＳナビゲーションシステムまたはタブレットコンピュータ等モバイル端末９を嵌持して位置決めすることができる。
【００２５】
そのうち、固定部材３上に固定装置に組み込むために用いる第１連結部３０が設けられ、かつ固定部材３は保持、掛止、嵌入、包囲、吸着または挿入方式で迅速に固定装置と位置決めフレーム２を外部物品上に固定し、モバイル端末９を保持することができ、また迅速に外部物品上から取り外すこともできる。
前記外部物品は平面または棒体を含み、前記固定部材３上に前記固定部材３と外部物品を締め付けるために用いる螺合固定ユニット６が設けられる。固定部材３は水平または垂直の平面または棒体を挟み込み、使用者が前記モバイル端末９をタッチ制御できるようにし、前記モバイル端末９が使用者によってタッチされるとき、前記螺合固定ユニット６により外部物品上に強制的に位置決めされ、ぐらつきやずれが生じないようにモバイル端末９が保持される。
【００２６】
固定装置は延伸棒１を含み、延伸棒１垂直または水平方向に剛性を備え、位置決めフレーム２が延伸棒の一端に設けられ、固定部材３が延伸棒１の他端に設けられる。
【００２７】
固定部材３は水平または垂直の平面、あるいは円柱形または細長い形状の棒、竿、棒状の支持フレーム構造等の外部物品を迅速に挟み込むことができ、棒体は公共交通機関の車両内及び周辺の人が握持するために用いることができる水平ポール７１と垂直ポール７２としてもよい。
【００２８】
固定部材３は少なくとも１つの可動はさみ部３１、３２を備えている。
【００２９】
固定部材３は少なくとも２つの相互に対称の可動はさみ部３１、３２を含み、前記螺合固定ユニット６は、各組のはさみ部３１、３２上にそれぞれ枢設された回転軸６１、６２を含む。
各回転軸６１、６２上にネジ孔６１１、６２１が設けられ、前記螺合固定ユニット６はさらに回転軸６１、６２のネジ孔６１１、６２１間に螺着されたボルト６３を含み、ボルト６３で片側からはさみ部３１、３２の間の開き具合を調整し、外部物品を挟持したり、解放したりすることができる。また、ボルト６３の一端に使用者がボルト６３を回動させるために利用する調整ヘッド６３１が設置される。
【００３０】
または、固定部材３ａは少なくとも２つの相互に対称な可動はさみ部３１ａ、３２ａと、はさみ部３１ａ、３２ａ外囲まで延伸されたカバー３８ａを含み、前記螺合固定ユニット６ａが各組のはさみ部３１ａ、３２ａ上にそれぞれ枢設された回転軸６１ａ、６２ａを含む。各回転軸６１ａ、６２ａ上にはネジ孔６１１ａ、６２１ａがそれぞれ設けられ、カバー３８ａ上に回転軸６１ａ、６２ａに近接した２つのネジ孔３８１ａ、３８２ａがそれぞれ設けられる。
前記螺合固定ユニット６ａが各回転軸６１ａ、６２ａのネジ孔６１１ａ、６２１ａを含み、相隣するカバー３８ａのネジ孔３８１ａ、３８２ａとの間にそれぞれボルト６３ａ、６４ａが螺着され、２本のボルト６３ａ、６４ａを利用して両側からはさみ部３１ａ、３２ａ間の開き具合を調整し、外部物品を挟持したり、解放したりすることができる。また、ボルト６３ａ、６４ａの一端に使用者がボルト６３ａ、６４ａを回動させるために利用する調整ヘッド６３１ａ、６４１ａが設置される。
【００３１】
或いは、固定部材３ｃは少なくとも２つの相互に対称な可動はさみ部３１ｃ、３２ｃを含み、かつ螺合固定ユニット６ｃが固定部材３ｃ上に設置されたはさみ部３１ｃ、３２ｃの間の開き具合を駆動して調整できる駆動装置６５ｃを含み、駆動装置６５ｃはモーターとすることができる。
【００３２】
前記２つのはさみ部３１、３１ａ、３１ｃ、３２、３２ａ、３２ｃは複数組としてもよく、任意の２つ以上の角度の方向から外部物品を挟持して固定するために用いられ、かつ固定部材３、３ａ、３ｂ、３ｃのはさみ部３１、３１ａ、３１ｂ、３１ｃ、３２、３２ａ、３２ｂ、３２ｃ外囲または内側に緩衝パッド４１、４２を設置して被覆し、はさみ部３１、３１ａ、３１ｂ、３１ｃ、３２、３２ａ、３２ｂ、３２ｃと外部物品の間の緊密度と摩擦力を増加してもよい。
【００３３】
延伸棒１、１ａ、１ｂは他端に固定部材３、３ａ、３ｂ、３ｃの第１連結部３０、３０ａ、３０ｂ、３０ｃに結合することができる第１接続部１１、１１ａ、１１ｂを備えている。
【００３４】
第１連結部３０、３０ａ、３０ｂ、３０ｃと第１接続部１１、１１ａ、１１ｂの結合方式は、挿入式、掛止式、嵌入式、包囲式、回動式、枢着式、吸着式、磁性吸着式、ネジによる固定、面ファスナーによる貼付、接着剤による接着または一体成型を含むことができる。
【００３５】
はさみ部３１ｂまたは３２ｂはリリース装置３２０ｂを備え、リリース装置３２０ｂは、固定部材３ｂ上に枢着されたベース部３２１ｂと、ベース部３２１ｂ上の固定部材３ｂから離れた位置に枢着された爪部３２２ｂを含む。ベース部３２１ｂと爪部３２２ｂが相対する接合面上にそれぞれ位置決め孔３２３ｂ、３２４ｂが設けられ、位置決め孔３２３ｂ、３２４ｂ間に位置決め棒３２５ｂが穿設され、ベース部３２１ｂと爪部３２２ｂを結合して固定する。
使用者が固定部材３ｂを公共交通機関の車内及び周辺の人が握持するために用いる水平ポール７１や垂直ポール７２上から急いで取り外す必要があるときは、リリース装置３２０ｂの位置決め棒３２５ｂを直接抜き取ると、爪部３２２ｂが外側に向かって揺動し、固定部材３ｂが緩むため、リリース装置３２０ｂを開くことができる。
【００３６】
延伸棒１、１ａ、１ｂは単数または複数とすることができ、かつ延伸棒１ｂは管状であり相互に入れ子状に連結され、延伸棒１ｂは多段式の伸縮機能を備えており、延伸棒１ｂの使用時の全体長さを増加できる。
【００３７】
或いは、各延伸棒１ａ間を一個以上の角度調整が可能な可動ジョイント１０ａで相互に連結し、延伸棒１ａを相互に折り畳み可能として、多段式の展開機能を具備させ、延伸棒１ａの使用時の全体長さを増加できる。
【００３８】
延伸棒１、１ａ、１ｂは平時において縮小状態下で便利に携帯できるが、伸ばして展開したとき、長さを人の手で便利に操作できる視線内の範囲に伸ばすことができ、かつ長さと角度の調整により、モバイル端末９の画面を自分で操作がしやすい範囲に調節することができる。
【００３９】
位置決めフレーム２背面には第２連結部２０が設けられ、延伸棒１、１ａ、１ｂの一端に位置決めフレーム２の第２連結部２０と結合可能な第２接続部１２、１２ａ、１２ｂが設けられる。第２連結部２０と第２接続部１２、１２ａ、１２ｂの結合方式は、挿入式、掛止式、嵌入式、包囲式、回動式、枢着式、吸着式、磁性吸着式、ネジによる固定、面ファスナーによる貼付、接着剤による接着または一体成型を含むことができる。
【００４０】
位置決めフレーム２は、モバイル端末９を嵌持して位置決めするために用いる可撓性のフレーム２２と、ベース座体２１を備え、フレーム２２はベース座体２１周辺に環状に設けられ、かつベース座体２１とフレーム２２内壁の間にモバイル端末９を嵌持して位置決めするために用いる位置決め槽２３が形成され、ベース座体２１背面に第２連結部２０が設けられ、延伸棒１の第２接続部１２と結合するために用いられる。
【００４１】
ベース座体２１内面とモバイル端末９の接触面に緩衝パッド４３が設けられ、位置決めフレーム２のモバイル端末９表面に対する滑り止め機能を高める。位置決めフレーム２は第２連結部２０により延伸棒１、１ａ、１ｂを軸として９０度の角度で回動させることができる。
【００４２】
上述の構成により、固定装置は便利に携帯することができ、かつ固定部材３、３ａ、３ｂ、３ｃにより公共交通機関の車両内及び周辺の人が握持するための水平ポール７１と垂直ポール７２上に迅速に取り付けることができる。
さらに位置決めフレーム２を利用して携帯電話、ゲーム機、電子ブックリーダー、ＧＰＳナビゲーションシステムまたはタブレットコンピュータ等のモバイル端末９を挟持し、取り付け後長距離、短距離の公共交通機関を利用し、同時にモバイル端末９を使用する必要がある場合、長時間手に物を持っている時間を減少することができ、筋肉の疲労を低減すると共に、肩や首の過度の使用による痛みを回避することができる。
【実施例２】
【００４３】
図１１、図１２に本考案の実施例２を示す。上述の実施例１と異なる点を説明する。
【００４４】
固定部材５は一端に接合部材５１と、該接合部材５１に対して取り付け及び取り外しができ、かつ外部物品上に位置決め可能な接合座体５２を備え、固定部材５は接合部材５１を介して外部物品８上に固定された接合座体５２に組み込まれる。
螺合固定ユニット６ｄは接合部材５１と接合座体５２間に螺合されるボルト６３ｄを含み、接合座体５２は螺着、被着、掛止、粘着等の方式で外部物品８上に位置決めされる。
【００４５】
外部物品８はリュック、帽子、ヘルメット、肩ひも、ストラップ、ネクタイ、手提げかばん、スーツケース、マスク、ハンドル、壁、机、椅子等を含み、固定部材５は接合部材５１を介して外部物品８上の接合座体５２に組み込まれる。
【００４６】
接合座体５２は携帯物品の固定器材として作成してもよく、直接人の肩や首、頭部、リュック、帽子、ストラップ上に取り付けて便利に携帯できるようにし、どこへでも容易に携帯できる機能を達成すると共に、共通サイズの連結により延伸棒１と結合させることができる。
【００４７】
第１連結部５０が接合部材５１の他端に設けられ、延伸棒１の第１接続部１１は接合部材５１の第１連結部５０と結合できる。第１連結部５０と第１接続部１１の結合方式は、挿入式、掛止式、嵌入式、包囲式、回動式、枢着式、吸着式、磁性吸着式、ネジによる固定、面ファスナーによる貼付、接着剤による接着または一体成型を含み、その他の構成部材の構成と実施方式は上述の実施例１と同じである。
【実施例３】
【００４８】
図１３に本考案の実施例３を示す。上述の実施例１と異なる点を説明する。
【００４９】
固定部材５ａは外部物品８上に設けられ、延伸棒１の他端に第１連結部５０ａに結合可能な第１接続部１１が設けられる。第１連結部５０ａと第１接続部１１の結合方式は、挿入式、掛止式、嵌入式、包囲式、回動式、枢着式、吸着式、磁性吸着式、ネジによる固定、面ファスナーによる貼付、接着剤による接着または一体成型を含むことができる。
【００５０】
螺合固定ユニットは第１連結部５０ａとすることができ、かつ第１連結部５０ａはネジ孔、第１接続部１１はボルトとしてもよい。或いは、固定部材５ａは外部物品８そのものの構造としてもよく、かつボルトの形態を呈する第１連結部５０ａを外部物品８上に直接形成することもできる。その他の構成部材の構成と実施方式は上述の実施例１と同じである。
【実施例４】
【００５１】
図１４に本考案の実施例４を示す。上述の実施例と異なる点を説明するが、延伸棒は省略してもよい。
【００５２】
位置決めフレーム２は固定部材３の第１連結部３０に結合される第２連結部２０を備えている。または、固定部材５は接合部材５１（図１１及び図１２を参照）と、該接合部材５１に対して取り付け及び取り外しができ、かつ外部物品上に位置決め可能な接合座体５２を備えている。
固定部材５は接合部材５１を介して外部物品８上に固定された接合座体５２に組み込まれ、第１連結部５０が接合部材５１の他端に設けられ、位置決めフレーム２が固定部材５の第１連結部５０に結合可能な第２連結部２０を備えている。或いは、固定部材５ａは外部物品８上に設けられ（図１３参照）、位置決めフレーム２は固定部材５ａの第１連結部５０ａに結合可能な第２連結部２０を備えている。
【００５３】
第２連結部２０と第１連結部３０、５０、５０ａの結合方式は、挿入式、掛止式、嵌入式、包囲式、回動式、枢着式、吸着式、磁性吸着式、ネジによる固定、面ファスナーによる貼付、接着剤による接着または一体成型を含むことができ、その他の構成部材の構成と実施方式は上述の実施例１と同じである。
【符号の説明】
【００５４】
１、１ａ、１ｂ  延伸棒
１０ａ  可動ジョイント
１１、１１ａ、１１ｂ  第１接続部
１２、１２ａ、１２ｂ  第２接続部
２  位置決めフレーム
２０  第２連結部
２１  ベース座体
２２  フレーム
２３  位置決め槽
３、３ａ、３ｂ、３ｃ、５、５ａ  固定部材
３０、３０ａ、３０ｂ、３０ｃ、５０、５０ａ  第１連結部
３１、３２、３１ａ、３２ａ、３１ｂ、３２ｂ、３１ｃ、３２ｃ  はさみ部
３２０ｂ  リリース装置
３２１ｂ  ベース部
３２２ｂ  爪部
３２３ｂ、３２４ｂ  位置決め孔
３２５ｂ  位置決め棒
３８１ａ、３８２ａ  ネジ孔
３８ａ  カバー
４１、４２、４３  緩衝パッド
５１  接合部材
５２  接合座体
６、６ａ、６ｃ、６ｄ  螺合固定ユニット
６１、６２、６１ａ、６２ａ  回転軸
６１１、６２１、６１１ａ、６２１ａ  ネジ孔
６３、６３ａ、６４ａ、６３ｄ  ボルト
６３１、６３１ａ、６４１ａ  調整ヘッド
６５ｃ  駆動装置
７１、７２  ポール
８  外部物品
９  モバイル端末
【図１】
0003180904.tif 000003
【図２】
0003180904.tif 000004
【図３】
0003180904.tif 000005
【図４】
0003180904.tif 000006
【図５】
0003180904.tif 000007
【図６】
0003180904.tif 000008
【図７】
0003180904.tif 000009
【図８】
0003180904.tif 000010
【図９】
0003180904.tif 000011
【図１０】
0003180904.tif 000012
【図１１】
0003180904.tif 000013
【図１２】
0003180904.tif 000014
【図１３】
0003180904.tif 000015
【図１４】
0003180904.tif 000016